(57)【要約】【課題】大容量の表示データを、無線通信ネットワークの帯域が逼迫することなく、複数の移動端末装置間で共有して、移動端末装置全体で大画面表示することができる移動端末装置等を提供する。【解決手段】携帯電話機Ｐ１〜Ｐ６で、マルチディスプレイシステムを構成する。携帯電話機Ｐ１では、表示データ取得部３１が、地上デジタル放送波から表示情報を表示するための表示データを取得すると、表示領域制御部３２が、表示データを複数の領域に分割する分割位置を定義する、携帯電話機Ｐ１〜Ｐ６で共有されている領域分割情報に基づいて、表示データ取得部３１が取得した表示データを分割し、さらに携帯電話機Ｐ１〜Ｐ６に各々に割り当てられている分割された領域のうち自機に割り当てられている領域を指定する領域指定情報に基づいて、分割した領域の中から、自機の表示部２４に表示すべき領域を特定する。【選択図】図１
2009294689.tif 000002
【特許請求の範囲】
【請求項１】
複数の移動端末装置の各表示部に１つの表示情報を表示するマルチディスプレイシステムを構成する移動端末装置であって、
放送波から上記表示情報を表示するための表示データを取得する表示データ取得手段と、
表示データを複数の領域に分割する分割位置を定義する、自装置を含む上記複数の移動端末装置で共有されている領域分割情報に基づいて、上記表示データ取得手段が取得した表示データを分割する表示データ分割手段と、
上記複数の移動端末装置に各々に割り当てられている分割された領域のうち自装置に割り当てられている領域を指定する領域指定情報に基づいて、上記表示データ分割手段が分割した領域の中から、自装置の表示部に表示すべき領域を特定する表示領域制御手段とを備えていることを特徴とする移動端末装置。
【請求項２】
上記領域分割情報は、上記表示領域制御手段が特定した領域に対して施すべき画像回転処理の方向を示す表示方向情報を含み、
上記表示方向情報に基づいて、上記表示領域制御手段が特定した領域を自装置の表示部に表示することを特徴とする請求項１に記載の移動端末装置。
【請求項３】
上記複数の移動端末装置との間で近距離無線通信を行う近距離無線部と、
上記近距離無線部を介して、上記複数の移動端末装置のうち、自装置以外の移動端末装置からそれぞれの画面の表示速度に関する表示性能情報を受信する表示性能取得手段を備え、
自装置および上記表示性能取得手段が取得した表示性能情報のうち、上記表示速度が最も遅いと判定された表示性能情報に基づいて表示を行うことを特徴とする請求項１または２に記載の移動端末装置。
【請求項４】
複数の移動端末装置の各表示部に１つの表示情報を表示するマルチディスプレイシステムを構成する移動端末装置であって、
上記複数の移動端末装置間で同一の、上記表示情報を表示するための表示データを記憶する表示データ記憶部と、
表示データを複数の領域に分割する分割位置を定義する、自装置を含む上記複数の移動端末装置で共有されている領域分割情報に基づいて、上記表示データ記憶部に記憶されている表示データを分割する表示データ分割手段と、
上記複数の移動端末装置に割り当てられている分割された領域のうち、自装置に割り当てられている領域を指定する領域指定情報に基づいて、上記表示データ分割手段が分割した領域の中から、自装置の表示部に表示すべき領域を特定する表示領域制御手段と
上記複数の移動端末装置との間で近距離無線通信を行う近距離無線部と、
上記表示情報を表示する時刻である表示開始時刻に上記表示データの表示を開始するよう要求する再生開始要求を上記近距離無線部を介して他の移動端末装置に送信する再生開始要求送信手段と、
上記表示開始時刻に、自装置の表示部に上記表示すべき領域を表示させる表示同期手段とを備えていることを特徴とする移動端末装置。
【請求項５】
複数の移動端末装置の各表示部に１つの表示情報を表示するマルチディスプレイシステムを構成する移動端末装置の制御方法であって、
上記複数の移動端末装置間で同一の、上記表示情報を表示するための表示データを記憶する表示データ記憶部と、
上記複数の移動端末装置との間で近距離無線通信を行う近距離無線部と、
上記表示情報を表示する時刻である表示開始時刻に上記表示データの表示を開始するよう要求する再生開始要求を上記近距離無線部を介して他の移動端末装置から受信する再生開始要求受信手段と、
上記表示データ記憶部から上記表示データを読み出し、表示データを複数の領域に分割する分割位置を定義する、自装置を含む上記複数の移動端末装置で共有されている領域分割情報に基づいて、上記読み出した表示データを分割する表示データ分割手段と、
上記複数の移動端末装置間に割り当てられている分割された領域のうち、自装置に割り当てられている領域を指定する領域指定情報に基づいて、上記表示データ分割手段が分割した領域の中から、自装置の表示部に表示すべき領域を特定する表示領域制御手段と、
上記表示開始時刻に、自装置の表示部に上記表示すべき領域を表示させる表示同期手段とを備えていることを特徴とする移動端末装置。
【請求項６】
請求項１から３までの何れか１項に記載の移動端末装置を複数含むマルチディスプレイシステムであって、上記複数の移動端末装置のそれぞれが、上記領域分割情報に基づいて分割された上記表示データのうち、上記領域指定情報に基づいて特定される領域を表示するマルチディスプレイシステム。
【請求項７】
請求項１から３までの何れか１項に記載の移動端末装置、または、請求項４に記載の移動端末装置、または、請求項５に記載の移動端末装置を動作させる制御プログラムであって、コンピュータを上記の各手段として機能させるための制御プログラム。
【請求項８】
請求項７に記載の制御プログラムを記録したコンピュータ読み取り可能な記録媒体。
【請求項９】
複数の移動端末装置の各表示部に１つの表示情報を表示するマルチディスプレイシステムを構成する移動端末装置の制御方法であって、
放送波から上記表示情報を表示するための表示データを取得する表示データ取得ステップと、
表示データを複数の領域に分割する分割位置を定義する、自装置を含む上記複数の移動端末装置で共有されている領域分割情報に基づいて、上記表示データ取得ステップにおいて取得した表示データを分割する表示データ分割ステップと、
上記複数の移動端末装置の各々に割り当てられている分割された領域のうち自装置に割り当てられている領域を指定する領域指定情報に基づいて、上記表示データ分割ステップにおいて分割した領域の中から、自装置の表示部に表示すべき領域を特定する表示領域制御ステップとを含むことを特徴とする移動端末装置の制御方法。
【請求項１０】
複数の移動端末装置の各表示部に１つの表示情報を表示するマルチディスプレイシステムを構成する移動端末装置の制御方法であって、
上記複数の移動端末装置の各々の記憶部に記憶されている、上記表示情報を表示するための表示データを読み出し、表示データを複数の領域に分割する分割位置を定義する、上記複数の移動端末装置で共有されている領域分割情報に基づいて、上記読み出した表示データを分割する表示データ分割ステップと、
上記複数の移動端末装置に割り当てられている分割された領域のうち自装置に割り当てられている領域を指定する領域指定情報に基づいて、上記表示データ分割ステップにおいて分割した領域の中から、自装置の表示部に表示すべき領域を特定する表示領域制御ステップと、
上記表示情報を表示する時刻である表示開始時刻に上記表示データの表示を開始するよう要求する再生開始要求を、近距離無線通信を介して他の移動端末装置に送信する再生開始要求送信ステップと、
上記表示開始時刻に、自装置の表示部に上記表示すべき領域を表示させる表示同期ステップとを含むことを特徴とする移動端末装置の制御方法。
【請求項１１】
複数の移動端末装置の各表示部に１つの表示情報を表示するマルチディスプレイシステムを構成する移動端末装置の制御方法であって、
上記表示情報を表示する時刻である表示開始時刻に上記表示情報を表示するための表示データの表示を開始するよう要求する再生開始要求を、近距離無線通信を介して他の移動端末装置から受信する再生開始要求受信ステップと、
表示データを複数の領域に分割する分割位置を定義する、自装置を含む上記複数の移動端末装置で共有されている領域分割情報に基づいて、上記表示データを記憶する表示データ記憶部に記憶されている上記要求された表示データを分割する表示データ分割ステップと、
上記複数の移動端末装置に割り当てられている分割された領域のうち自装置に割り当てられている領域を指定する領域指定情報に基づいて、上記表示データ分割ステップにおいて分割した領域の中から、自装置の表示部に表示すべき領域を特定する表示領域制御ステップと、
上記表示開始時刻に、自装置の表示部に上記表示すべき領域を表示させる表示同期ステップとを含むことを特徴とする移動端末装置の制御方法。
【発明の詳細な説明】
【技術分野】
【０００１】
本発明は、画面表示を行う移動端末装置およびその制御方法、制御プログラム、コンピュータ読み取り可能な記録媒体ならびにマルチディスプレイシステムに関する。
【背景技術】
【０００２】
従来、より多くの情報をユーザに対して提示するために、複数の表示装置を組み合わせることで、個々の表示装置の表示画面よりも大きな画面で情報を提示する技術、すなわちマルチディスプレイによる表示についての技術が提案されてきた。
【０００３】
まず、ＰＣ（Personal Computer）等の情報処理装置の分野においては、１台のＰＣに、複数の表示装置を有線接続し、複数の画面で情報を提示する技術が提案されている（例えば、特許文献１）。また、携帯電話機をはじめとする携帯情報端末の分野においても、携帯情報端末に搭載される表示装置には、その性質上、表示領域に大きな制約があることから、複数の表示装置による大画面表示技術が望まれている。例えば、特許文献２では、各携帯情報端末間で、無線通信を行うことで、表示データを共有し、複数の表示装置で画面を提示する技術が提案されている。
【特許文献１】特開平７−１９１８２１号公報（１９９５年７月２８日公開）
【特許文献２】特開２００３−６１１４０号公報（２００３年２月２８日公開）
【発明の開示】
【発明が解決しようとする課題】
【０００４】
しかしながら、上記従来技術の構成では、複数の携帯情報端末を持ち寄って、携帯情報端末が備える表示装置の各々で一つの画面を提示しようとするマルチディスプレイシステムにおいては、次のような課題が生じる。
【０００５】
すなわち、特許文献２の方法では、携帯情報端末間で無線通信を行うことにより表示データを共有するため、表示データのデータ容量が非常に大きい場合、無線通信ネットワークの帯域が逼迫することが考えられる。このため、無線通信ネットワークの帯域が逼迫した状態では、携帯情報端末間で、表示データを共有することができなくなるおそれがある。この結果、それぞれの携帯情報端末において正しく画面表示が行えず、所望の画面を提示できなくなる可能性があった。
【０００６】
本発明は、上記の課題点に鑑みてなされたものであり、その目的は、大容量の表示データであっても、無線通信ネットワークの帯域が逼迫することなく、複数の移動端末装置間で共有して、移動端末装置全体で大画面表示することができる移動端末装置、移動端末装置の制御方法、マルチディスプレイシステム、制御プログラムおよびコンピュータ読み取り可能な記録媒体を実現することにある。
【課題を解決するための手段】
【０００７】
本発明に係る移動端末装置は、上記課題を解決するために、複数の移動端末装置の各表示部に１つの表示情報を表示するマルチディスプレイシステムを構成する移動端末装置であって、放送波から上記表示情報を表示するための表示データを取得する表示データ取得手段と、表示データを複数の領域に分割する分割位置を定義する、自装置を含む上記複数の移動端末装置で共有されている領域分割情報に基づいて、上記表示データ取得手段が取得した表示データを分割する表示データ分割手段と、上記複数の移動端末装置に各々に割り当てられている分割された領域のうち自装置に割り当てられている領域を指定する領域指定情報に基づいて、上記表示データ分割手段が分割した領域の中から、自装置の表示部に表示すべき領域を特定する表示領域制御手段とを備えていることを特徴としている。
【０００８】
また、本発明に係る移動端末装置の制御方法は、上記課題を解決するために、複数の移動端末装置の各表示部に１つの表示情報を表示するマルチディスプレイシステムを構成する移動端末装置の制御方法であって、放送波から上記表示情報を表示するための表示データを取得する表示データ取得ステップと、表示データを複数の領域に分割する分割位置を定義する、自装置を含む上記複数の移動端末装置で共有されている領域分割情報に基づいて、上記表示データ取得ステップにおいて取得した表示データを分割する表示データ分割ステップと、上記複数の移動端末装置の各々に割り当てられている分割された領域のうち自装置に割り当てられている領域を指定する領域指定情報に基づいて、上記表示データ分割ステップにおいて分割した領域の中から、自装置の表示部に表示すべき領域を特定する表示領域制御ステップとを含むことを特徴としている。
【０００９】
上記構成によれば、マルチディスプレイシステムを構成する複数の移動端末装置が、放送波から表示データを取得するので、上記複数の移動端末装置の各々が同じ表示データを同時に取得することができる。
【００１０】
また、各移動端末装置は、表示データを複数の領域に分割する分割位置を定義する領域分割情報を共有する。このことから、同じ表示データを共通の領域分割情報に基づいて、表示データを分割することになる。すなわち、各移動端末装置間において表示データの分割位置は一致する。
【００１１】
そして、各移動端末装置には、分割された各領域が割り当てられており、自装置に割り当てられている領域を指定する領域指定情報に基づいて、自装置の表示部に表示すべき領域を特定する。すなわち、各移動端末装置と、分割された表示データの各領域とは１対１の対応となる。
【００１２】
このため、移動端末装置の各々が、分割された表示データの各々を自装置の表示部に表示することで、表示データ全体を表示することになる。すなわち、各移動端末装置の表示部を並べて構成した複合画面で１つの表示データを表示するマルチディスプレイシステムを構成することができる。しかも、この際、各移動端末装置は、各々が放送波より同じ表示データを取得することができるので、他の移動端末装置に表示データを送信する必要がない。他の移動端末装置に表示データを送信する必要がないため、移動端末装置間の通信帯域が逼迫することもなくなる。
【００１３】
この結果、大容量の表示データであっても、複数の移動端末装置間で共有して、移動端末装置全体で大画面表示することができるという効果を奏する。
【００１４】
本発明に係る移動端末装置では、上記領域分割情報は、上記表示領域制御手段が特定した領域に対して施すべき画像回転処理の方向を示す表示方向情報を含み、上記表示方向情報に基づいて、上記表示領域制御手段が特定した領域を自装置の表示部に表示することが好ましい。
【００１５】
上記の構成によれば、移動端末装置が、自装置の表示部に表示情報を表示する際に、
表示データの各領域のうち、表示領域制御手段が特定した領域を、表示方向情報に基づいて表示する。ここで、表示方向情報は、上記表示データに対し施すべき画像回転処理を示す情報であり、表示方向情報は、画像回転処理の向き、角度等の情報を含む。
【００１６】
すなわち、移動端末装置は、表示データの各領域のうち、表示領域制御手段が特定した領域に対し、画像回転処理を行って表示を行う。
【００１７】
この結果、各移動端末装置が構成するマルチディスプレイシステムによる表示を行うときに、各移動端末装置の表示部の向きを自由にできるので、画面構成の自由度が増すというさらなる効果を奏する。
【００１８】
本発明に係る移動端末装置では、上記複数の移動端末装置との間で近距離無線通信を行う近距離無線部と、上記近距離無線部を介して、上記複数の移動端末装置のうち、自装置以外の移動端末装置からそれぞれの画面の表示速度に関する表示性能情報を受信する表示性能取得手段を備え、自装置および上記表示性能取得手段が取得した表示性能情報のうち、上記表示速度が最も遅いと判定された表示性能情報に基づいて表示を行うことが好ましい。
【００１９】
各移動端末装置の画面の表示速度に関する性能が異なる場合、各移動端末装置における表示のタイミングが相違するおそれがある。画面の表示速度に関する性能の指標としては、例えば、移動端末装置の表示部において表示が許容できるフレームレートなどが挙げられる。各移動端末装置における表示のタイミングが相違すると、各移動端末装置において表示する表示情報の同期がとれず、マルチディスプレイシステムにおける表示の整合性が失われる可能性がある。
【００２０】
上記の構成によれば、まず、表示性能比較手段が、近距離無線部を介して、他の移動端末装置から画面の表示に関する表示性能情報を受信し、受信した表示性能情報をそれぞれ比較する。そして、移動端末装置は、上記表示性能比較手段の比較結果において、表示速度が最も遅いと判定された表示性能情報に基づいて自装置の表示部の表示を行う。
【００２１】
このため、各移動端末装置は、表示速度が最も遅い移動端末装置にあわせて表示を行うことができるので、各移動端末装置における表示のタイミングを同期させることができる。
【００２２】
この結果、画面の表示の性能が移動端末装置間で異なっても、大容量の表示内容を、他の移動端末装置に送信することなく、マルチディスプレイシステムにおける表示を行うことができるという効果を奏する。
【００２３】
なお、上記構成の移動端末装置を複数用いて、上記領域分割情報および上記領域指定情報に基づいて、それぞれ並べて配置し画面を構成するマルチディスプレイシステムでも、上述の効果を奏することができる。
【００２４】
本発明に係る移動端末装置は、上記課題を解決するために、複数の移動端末装置の各表示部に１つの表示情報を表示するマルチディスプレイシステムを構成する移動端末装置であって、上記複数の移動端末装置間で同一の、上記表示情報を表示するための表示データを記憶する表示データ記憶部と、表示データを複数の領域に分割する分割位置を定義する、自装置を含む上記複数の移動端末装置で共有されている領域分割情報に基づいて、上記表示データ記憶部に記憶されている表示データを分割する表示データ分割手段と、上記複数の移動端末装置に割り当てられている分割された領域のうち、自装置に割り当てられている領域を指定する領域指定情報に基づいて、上記表示データ分割手段が分割した領域の中から、自装置の表示部に表示すべき領域を特定する表示領域制御手段と上記複数の移動端末装置との間で近距離無線通信を行う近距離無線部と、上記表示情報を表示する時刻である表示開始時刻に上記表示データの表示を開始するよう要求する再生開始要求を上記近距離無線部を介して他の移動端末装置に送信する再生開始要求送信手段と、上記表示開始時刻に、自装置の表示部に上記表示すべき領域を表示させる表示同期手段とを備えていることを特徴としている。
【００２５】
また、本発明に係る移動端末装置の制御方法は、上記課題を解決するために、複数の移動端末装置の各表示部に１つの表示情報を表示するマルチディスプレイシステムを構成する移動端末装置の制御方法であって、上記複数の移動端末装置の各々の記憶部に記憶されている、上記表示情報を表示するための表示データを読み出し、表示データを複数の領域に分割する分割位置を定義する、上記複数の移動端末装置で共有されている領域分割情報に基づいて、上記読み出した表示データを分割する表示データ分割ステップと、上記複数の移動端末装置に割り当てられている分割された領域のうち自装置に割り当てられている領域を指定する領域指定情報に基づいて、上記表示データ分割ステップにおいて分割した領域の中から、自装置の表示部に表示すべき領域を特定する表示領域制御ステップと、上記表示情報を表示する時刻である表示開始時刻に上記表示データの表示を開始するよう要求する再生開始要求を、近距離無線通信を介して他の移動端末装置に送信する再生開始要求送信ステップと、上記表示開始時刻に、自装置の表示部に上記表示すべき領域を表示させる表示同期ステップとを含むことを特徴としている。
【００２６】
上記構成によれば、マルチディスプレイシステムを構成する各移動端末装置が、記憶部に、各移動端末装置と同一の表示データを記憶している。よって、各移動端末装置において記憶部から、同じ表示データを読み出すことができる。
【００２７】
また、各移動端末装置は、表示データを複数の領域に分割する分割位置を定義する領域分割情報を共有する。このことから、同じ表示データを共通の領域分割情報に基づいて、表示データを分割することになる。よって、各移動端末装置で、分割された表示データは一致する。
【００２８】
そして、移動端末装置は、各移動端末装置に割り当てられている分割された領域のうち自装置に割り当てられている領域を指定する領域指定情報に基づいて、自装置の表示部に表示すべき領域を特定する。
【００２９】
このため、移動端末装置の各々が、分割された表示データの各々を表示することになる。すなわち、分割された表示データと、移動端末装置とは１対１の対応となる。
【００３０】
そして、移動端末装置は、他の移動端末装置に、上記表示情報の表示開始時刻に上記表示データの表示を開始するよう要求する再生開始要求を送信する。その後、上記表示開始時刻に、自装置の表示部に上記表示すべき領域の表示データを表示させる。
【００３１】
よって、各移動端末装置間で、表示情報の表示のタイミングを合わせることができ、移動端末装置を並べることにより、複数の移動端末装置により、１つの表示データを表示する仮想的な画面を構築することができる。この際、各移動端末装置は、自装置が表示する表示データを自装置の記憶部から読み出すので、移動端末装置間で表示データの送受信が行われない。
【００３２】
この結果、各移動端末装置間では、再生開始要求を送受信するのみで、１つの表示データの各部分をそれぞれ所定の移動端末装置に表示させることができる。したがって、大容量の表示データであっても、複数の移動端末装置間で共有して、移動端末装置全体で大画面表示することができるという効果を奏する。
【００３３】
本発明に係る移動端末装置は、上記課題を解決するために、複数の移動端末装置の各表示部に１つの表示情報を表示するマルチディスプレイシステムを構成する移動端末装置の制御方法であって、上記複数の移動端末装置間で同一の、上記表示情報を表示するための表示データを記憶する表示データ記憶部と、上記複数の移動端末装置との間で近距離無線通信を行う近距離無線部と、上記表示情報を表示する時刻である表示開始時刻に上記表示データの表示を開始するよう要求する再生開始要求を上記近距離無線部を介して他の移動端末装置から受信する再生開始要求受信手段と、上記表示データ記憶部から上記表示データを読み出し、表示データを複数の領域に分割する分割位置を定義する、自装置を含む上記複数の移動端末装置で共有されている領域分割情報に基づいて、上記読み出した表示データを分割する表示データ分割手段と、上記複数の移動端末装置間に割り当てられている分割された領域のうち、自装置に割り当てられている領域を指定する領域指定情報に基づいて、上記表示データ分割手段が分割した領域の中から、自装置の表示部に表示すべき領域を特定する表示領域制御手段と、上記表示開始時刻に、自装置の表示部に上記表示すべき領域を表示させる表示同期手段とを備えていることを特徴としている。
【００３４】
また、本発明に係る移動端末装置の制御方法は、上記課題を解決するために、複数の移動端末装置の各表示部に１つの表示情報を表示するマルチディスプレイシステムを構成する移動端末装置の制御方法であって、上記表示情報を表示する時刻である表示開始時刻に上記表示情報を表示するための表示データの表示を開始するよう要求する再生開始要求を、近距離無線通信を介して他の移動端末装置から受信する再生開始要求受信ステップと、表示データを複数の領域に分割する分割位置を定義する、自装置を含む上記複数の移動端末装置で共有されている領域分割情報に基づいて、上記表示データを記憶する表示データ記憶部に記憶されている上記要求された表示データを分割する表示データ分割ステップと、上記複数の移動端末装置に割り当てられている分割された領域のうち自装置に割り当てられている領域を指定する領域指定情報に基づいて、上記表示データ分割ステップにおいて分割した領域の中から、自装置の表示部に表示すべき領域を特定する表示領域制御ステップと、上記表示開始時刻に、自装置の表示部に上記表示すべき領域を表示させる表示同期ステップとを含むことを特徴としている。
【００３５】
上記構成によれば、マルチディスプレイシステムを構成する各移動端末装置が、
他の移動端末装置から、表示情報の表示開始時刻に表示データの表示を開始するよう要求する再生開始要求を受信する。
【００３６】
また、各移動端末装置は、記憶部に、各移動端末装置と同一の表示データを記憶している。よって、各移動端末装置において記憶部から、同じ表示データを読み出すことができる。
【００３７】
また、各移動端末装置は、表示データを複数の領域に分割する分割位置を定義する領域分割情報を共有する。このことから、同じ表示データを共通の領域分割情報に基づいて、表示データを分割することになる。よって、各移動端末装置で、分割された表示データは一致する。
【００３８】
そして、移動端末装置は、各移動端末装置に割り当てられている分割された領域のうち自装置に割り当てられている領域を指定する領域指定情報に基づいて、自装置の表示部に表示すべき領域を特定する。
【００３９】
このため、移動端末装置の各々が、分割された表示データの各々を表示することになる。すなわち、分割された表示データと、移動端末装置とは１対１の対応となる。
【００４０】
その後、上記表示開始時刻に、自装置の表示部に上記表示すべき領域の表示データを表示させる。
【００４１】
よって、各移動端末装置間で、表示情報の表示のタイミングを合わせることができ、移動端末装置を並べることにより、複数の移動端末装置により、１つの表示データを表示する仮想的な画面を構築することができる。この際、各移動端末装置は、自装置が表示する表示データを自装置の記憶部から読み出すので、移動端末装置間で表示データの送受信が行われない。
【００４２】
この結果、各移動端末装置間では、再生開始要求を送受信するのみで、１つの表示データの各部分をそれぞれ所定の移動端末装置に表示させることができる。したがって、大容量の表示データであっても、複数の移動端末装置間で共有して、移動端末装置全体で大画面表示することができるという効果を奏する。
【００４３】
また、上記情報処理装置における各手段を、制御プログラムによりコンピュータに実行させることができる。さらに、制御プログラムをコンピュータ読み取り可能な記録媒体に記憶させることにより、任意のコンピュータ上で上記制御プログラムを実行させることができる。
【発明の効果】
【００４４】
本発明に係る移動端末装置は、以上のように、放送波から表示情報を表示するための表示データを取得する表示データ取得手段と、表示データを複数の領域に分割する分割位置を定義する、自装置を含む上記複数の移動端末装置で共有されている領域分割情報に基づいて、上記表示データ取得手段が取得した表示データを分割する表示データ分割手段と、上記複数の移動端末装置に各々に割り当てられている分割された領域のうち自装置に割り当てられている領域を指定する領域指定情報に基づいて、上記表示データ分割手段が分割した領域の中から、自装置の表示部に表示すべき領域を特定する表示領域制御手段とを備えている構成である。
【００４５】
また、本発明に係る移動端末装置の制御方法は、以上のように、放送波から表示情報を表示するための表示データを取得する表示データ取得ステップと、表示データを複数の領域に分割する分割位置を定義する、自装置を含む上記複数の移動端末装置で共有されている領域分割情報に基づいて、上記表示データ取得ステップにおいて取得した表示データを分割する表示データ分割ステップと、上記複数の移動端末装置の各々に割り当てられている分割された領域のうち自装置に割り当てられている領域を指定する領域指定情報に基づいて、上記表示データ分割ステップにおいて分割した領域の中から、自装置の表示部に表示すべき領域を特定する表示領域制御ステップとを含む方法である。
【００４６】
本発明に係る移動端末装置は、以上のように、複数の移動端末装置間で同一の、表示情報を表示するための表示データを記憶する表示データ記憶部と、表示データを複数の領域に分割する分割位置を定義する、自装置を含む上記複数の移動端末装置で共有されている領域分割情報に基づいて、上記表示データ記憶部に記憶されている表示データを分割する表示データ分割手段と、上記複数の移動端末装置に割り当てられている分割された領域のうち、自装置に割り当てられている領域を指定する領域指定情報に基づいて、上記表示データ分割手段が分割した領域の中から、自装置の表示部に表示すべき領域を特定する表示領域制御手段と上記複数の移動端末装置との間で近距離無線通信を行う近距離無線部と、上記表示情報を表示する時刻である表示開始時刻に上記表示データの表示を開始するよう要求する再生開始要求を上記近距離無線部を介して他の移動端末装置に送信する再生開始要求送信手段と、上記表示開始時刻に、自装置の表示部に上記表示すべき領域を表示させる表示同期手段とを備えている構成である。
【００４７】
また、本発明に係る移動端末装置の制御方法は、以上のように、複数の移動端末装置の各々の記憶部に記憶されている、表示情報を表示するための表示データを読み出し、表示データを複数の領域に分割する分割位置を定義する、上記複数の移動端末装置で共有されている領域分割情報に基づいて、上記読み出した表示データを分割する表示データ分割ステップと、上記複数の移動端末装置に割り当てられている分割された領域のうち自装置に割り当てられている領域を指定する領域指定情報に基づいて、上記表示データ分割ステップにおいて分割した領域の中から、自装置の表示部に表示すべき領域を特定する表示領域制御ステップと、上記表示情報を表示する時刻である表示開始時刻に上記表示データの表示を開始するよう要求する再生開始要求を、近距離無線通信を介して他の移動端末装置に送信する再生開始要求送信ステップと、上記表示開始時刻に、自装置の表示部に上記表示すべき領域を表示させる表示同期ステップとを含む方法である。
【００４８】
本発明に係る移動端末装置は、以上のように、複数の移動端末装置間で同一の、表示情報を表示するための表示データを記憶する表示データ記憶部と、上記複数の移動端末装置との間で近距離無線通信を行う近距離無線部と、上記表示情報の表示開始時刻に上記表示データの表示を開始するよう要求する再生開始要求を上記近距離無線部を介して他の移動端末装置から受信する再生開始要求受信手段と、上記表示データ記憶部から上記表示データを読み出し、表示データを複数の領域に分割する分割位置を定義する、自装置を含む上記複数の移動端末装置で共有されている領域分割情報に基づいて、上記読み出した表示データを分割する表示データ分割手段と、上記複数の移動端末装置間に割り当てられている分割された領域のうち、自装置に割り当てられている領域を指定する領域指定情報に基づいて、上記表示データ分割手段が分割した領域の中から、自装置の表示部に表示すべき領域を特定する表示領域制御手段と、上記表示開始時刻に、自装置の表示部に上記表示すべき領域を表示させる表示同期手段とを備えている構成である。
【００４９】
また、本発明に係る移動端末装置の制御方法は、以上のように、表示情報を表示する時刻である表示開始時刻に上記表示情報を表示するための表示データの表示を開始するよう要求する再生開始要求を、近距離無線通信を介して他の移動端末装置から受信する再生開始要求受信ステップと、表示データを複数の領域に分割する分割位置を定義する、自装置を含む上記複数の移動端末装置で共有されている領域分割情報に基づいて、上記表示データを記憶する表示データ記憶部に記憶されている上記要求された表示データを分割する表示データ分割ステップと、上記複数の移動端末装置に割り当てられている分割された領域のうち自装置に割り当てられている領域を指定する領域指定情報に基づいて、上記表示データ分割ステップにおいて分割した領域の中から、自装置の表示部に表示すべき領域を特定する表示領域制御ステップと、上記表示開始時刻に、自装置の表示部に上記表示すべき領域を表示させる表示同期ステップとを含む方法である。
【００５０】
これにより、複数の移動端末装置により、大容量の表示データであっても、複数の移動端末装置間で共有して、移動端末装置全体で大画面表示することができるという効果を奏する。
【発明を実施するための最良の形態】
【００５１】
〔実施の形態１〕
本発明の一実施の形態について図１〜図９に基づいて説明すると以下の通りである。
【００５２】
本実施の形態においては、移動端末装置を携帯電話機として機能させた場合について、以下に説明する。本実施の形態では、６台の携帯電話機を用いて表示を行うマルチディスプレイシステムを構成し、６台の携帯電話機により表示を行う。しかしながらこれに限られず、携帯電話機が複数台あれば、６台より多いあるいは少ない台数の携帯電話機を用いて本発明のマルチディスプレイシステムを実現することができる。
【００５３】
まず、図２を用いて、携帯電話機の外観について説明する。図２は、本発明の実施の形態に係る携帯電話機の外観形状を示す図である。同図に示すとおり、携帯電話機１０は、いわゆるクラムシェル型の変形機構を有する携帯電話機である。すなわち、携帯電話機１０は、ヒンジ部２１を介して２つの筐体が開閉自在に連結された構造である。
【００５４】
図２に示すように、携帯電話機１０において、上記２つの筐体の、一方の筐体４の表面４Ａには入力部２２が設けられている。そして、他方の筐体５の表面５Ａには、表示部２４が設けられている。
【００５５】
また、図２に示すように、携帯電話機１０が備える表示部２４が有する画面の外観形状は、略長方形である。そして、ユーザが、携帯電話機１０を保持したときに、当該画面は、ユーザにとって、縦長の長方形に見えるように構成されている。しかしながら、これに限られず、ユーザが、携帯電話機１０を保持したときに、当該画面が、ユーザにとって、横長の長方形に見えるように構成してもよい。また、上記画面の形状は、長方形に限られず、例えば、正方形であってもよい。
【００５６】
表示部２４の画面における表示の上下関係は、同図に示す、矢印６が示す向きが下であり、矢印７が示す向きが上である。
【００５７】
また、本発明の実施の形態では、移動端末装置を、携帯電話機として機能させた場合について説明するが、これに限られず、表示部を備える移動端末装置であればよい。例えば、移動端末装置は、ＰＤＡ（Personal Digital Assistant）等であってもよい。
【００５８】
また、携帯電話機１０は、二つ折型の変形機構を有する携帯電話機であるが、これに限られない。携帯電話機１０は、スライド型の変形機構を有していてもよく、また、このような変形機構を備えていないものであってもよい。
【００５９】
以降の説明では、６台の携帯電話機１０のそれぞれを区別する場合には、便宜上、携帯電話機Ｐ１〜Ｐ６と記載する。
【００６０】
図７を参照しながら、本発明のマルチディスプレイシステムについての概略を説明する。図７は、本発明の実施の形態を示すものであり、各携帯電話機によってマルチディスプレイシステムを構成した場合の説明図である。同図に示すように、携帯電話機Ｐ１〜Ｐ６は、それぞれ自機の表示部２４に、画面データＤ１〜Ｄ６を表示している。そして、これによりマルチディスプレイシステムの表示画面イメージ１５が構成されている。
【００６１】
このようなマルチディスプレイシステムの構成方法について以下に詳細に説明していく。
【００６２】
（携帯電話機についての説明）
まず、携帯電話機１０の詳細について以下に説明していく。図１は、本発明の実施の形態を示すものであり、携帯電話機１０の要部構成を示すブロック図である。同図に示すとおり、携帯電話機１０は、チューナ部２０と、入力部２２と、表示部２４と、近距離無線通信部２６と、制御部３０と、記憶部５０とを備える構成である。
【００６３】
チューナ部２０は、地上デジタル放送の放送信号を受信するものである。すなわち、本実施の形態では、携帯電話機１０は、地上デジタル放送を受信し、視聴するための地上デジタル放送受信機能を備える携帯電話機であることを想定している。
【００６４】
入力部２２は、ユーザからの操作を受け付けるものである。入力部２２は、具体的には、携帯電話機１０の表面４Ａに設けられたボタンなどの入力デバイスを備えており、当該入力デバイスをユーザが操作したことを検知し、操作データを生成して制御部３０に送信するものである。
【００６５】
ボタンの例としては、“０”〜“９”までの数字ボタン、“＊”および“＃”の記号ボタン、十字ボタン、決定ボタン、各種機能ボタン等が挙げられる。なお、入力デバイスとして、ボタンの他にタッチパネルなどを用いてもかまわない。
【００６６】
表示部２４は、画面を有しており、制御部３０から画面データを受信し、受信した画面データに基づいて表示画面に画像を上記画面に表示するものである。ここで画面データは、例えば、表示部２４の画面において表示可能なデータであり、画素データの集合からなるデータである。この画面データの詳細については後述する。また、表示部２４の有する画面は、ＬＣＤ（Liquid Crystal Display）、ＰＤＰ（Plasma Display Panel）、ＥＬ（Electroluminescence）ディスプレイなどの表示素子と、受信した画面データに基づいて表示素子を駆動するドライバ回路とを備える構成である。
【００６７】
近距離無線通信部２６は、制御部３０から受信したデータを近距離無線通信に適した形式変換し、変換した無線信号を、近距離無線通信用アンテナ（図示しない）を介して外部に送信するとともに、外部から近距離無線通信用アンテナ（図示しない）を介して受信した無線信号を制御部３０において処理するのに適した形式に変換し、変換したデータを制御部３０に送信するものである。近距離無線通信部２６において行われる近距離無線通信の例としては、Ｂｌｕｅｔｏｏｔｈ（登録商標）、ジグビー（ZigBee）、ＵＷＢ（Ultra Wide Band）、無線ＬＡＮ（ＩＥＥＥ８０２．１１）などが挙げられる。
【００６８】
制御部３０は、携帯電話機１０が備える各部材の各種動作を統括的に制御するものであり、機能ブロックとして表示データ取得部（表示データ取得手段）３１と、表示領域制御部（表示データ分割手段、表示領域制御手段）３２と、フレーム同期部３３と、領域設定部３４とを備えている。なお、上記機能ブロックとして示される各部は、ＣＰＵ（central processing unit）が不図示のＲＯＭ（read only memory）等の記憶装置に記憶されているプログラムをＲＡＭ（random access memory）等に読み出して実行することで実現できる。すなわち、上記各部材、表示データ取得部３１、表示領域制御部３２、フレーム同期部３３および領域設定部３４は、上記ＣＰＵが上記記憶装置に格納されたプログラムを実行し、図示しない入出力回路などの周辺回路を制御することによって実現される機能ブロックである。なお、上記各部材の詳細については後述する。
【００６９】
記憶部５０は、各種データおよびプログラムを記憶するものである。記憶部５０の例としては、制御部３０が動作するときに必要なプログラムや、通信制御データなどの固定データを記憶する読出し専用の半導体メモリであるＲＯＭ（Read Only Memory）と、通信に関するデータ、演算に使用するデータ、および演算結果などを一時的に記憶する、いわゆるワーキングメモリとしてのＲＡＭと、各種の設定データ、撮影画像データ、電子メールデータなどを記憶する書換え可能な不揮発性メモリ（例えばフラッシュメモリ）とが挙げられる。
【００７０】
（制御部の詳細）
次に、制御部３０の詳細について、以下に説明する。制御部３０は、表示データ取得部３１と、表示領域制御部３２と、フレーム同期部３３と、領域設定部３４とを含む。
【００７１】
まず、表示データ取得部３１について説明する。今日、地上デジタル放送では、動画・音声・静止画等の各種のデータや、プログラム等のデジタルデータが配信されている。表示データ取得部３１は、チューナ部２０が受信した放送信号から、携帯電話機１０の表示部２４において表示するための表示データを取得する。例えば、地上デジタル放送において配信されるデジタルデータのうち、動画データ等の映像データおよび静止画データが、表示データに該当する。
【００７２】
表示領域制御部３２は、表示データ取得部３１が取得した表示データから、表示部２４において表示すべき画面データを生成し、当該画面データを表示部２４に送信するものである。
【００７３】
表示領域制御部３２は、表示データから特定の部分を抽出し画面データを生成する。表示領域制御部３２が、表示データから、画面データを生成するときには、上記特定の部分を抽出するために、領域分割情報記憶部５２が記憶する領域分割情報と、領域指定情報記憶部５４が記憶する領域指定情報とを用いる。表示データからおよび画面データの関係、ならびに、領域分割情報および領域指定情報の詳細については後述する。
【００７４】
フレーム同期部３３は、他の携帯電話機１０と、表示部２４における画面表示の同期を取るためのものである。６台の携帯電話機１０の間で、他の携帯電話機１０の表示部２４の表示性能が異なる場合も考えられる。このような場合、携帯電話機Ｐ１〜Ｐ６の間で、表示部２４に画面データを表示するタイミングがずれるおそれがある。特に動画データを携帯電話機Ｐ１〜Ｐ６において表示する場合は、フレームの同期がとれなくなるおそれがある。
【００７５】
フレーム同期部３３は、具体的には、携帯電話機Ｐ１〜Ｐ６において、同時に、同一の画面表示をおこなうことができるように、近距離無線通信部２６を介して、他の携帯電話機１０と、表示部２４の性能に関する画面性能情報について送受信し、各携帯電話機１０の画面性能情報の比較を行う。そして、当該比較結果に基づいて、携帯電話機Ｐ１〜Ｐ６の間で、画面表示の同期を行う。
【００７６】
具体的には、携帯電話機Ｐ１〜Ｐ６は、当該比較結果において、最も画面性能情報が低いと判定された画面性能情報に、自装置の画面性能情報をあわせて、画面表示の同期を行う。
【００７７】
画面性能情報の一例として、表示部２４が許容できるフレームレートを示す情報であるフレームレート情報を各携帯電話機間で送受信し、フレームレートの同期を行う例について説明する。
【００７８】
すなわち、携帯電話機Ｐ１〜Ｐ６間で、フレームレート情報を送受信し、フレーム同期部３３が、送受信したフレームレート情報の比較を行う。そして、その比較の結果、もっとも許容できるフレームレートが低いことを示すフレームレート情報に基づいて、各携帯電話機Ｐ１〜Ｐ６は表示を行う。
【００７９】
一方、携帯電話機Ｐ１〜Ｐ６間で、フレームレート情報が同じであれば同期を行わなくてもよい。
【００８０】
携帯電話機Ｐ１〜Ｐ６間の画面表示の同期においては、携帯電話機Ｐ１〜Ｐ６のいずれかの携帯電話機１０が、他の携帯電話機１０に同期を指示するいわゆるマスタ−スレーブ方式を採用することができる。すなわち、ある携帯電話機１０が、他の携帯電話機１０を統合的に管理するマスタとなり、他の携帯電話機１０は、このマスタの携帯電話機１０の管理に従うスレーブとなる。そして、マスタとなった携帯電話機１０が、スレーブとなった他の携帯電話機１０にフレームレート情報を送信し、マスタ−スレーブの携帯電話機１０の間で、同期を行うことができる。
【００８１】
しかしながら、これに限られず、携帯電話機１０の間で、とくにマスタ−スレーブの関係なく、互いにフレームレート情報を送受信し、調整をとりながら同期を行ってもよい。
【００８２】
領域設定部３４は、ユーザからの操作を受け付け、領域分割情報および領域指定情報の設定および記憶を行うものである。すなわち、領域設定部３４は、入力部２２から編集操作に用いるボタンに対応する操作データを受信し、受信した操作データに基づいて、領域分割情報および領域指定情報の設定を行い、当該設定を領域分割情報記憶部５２および領域指定情報記憶部５４に記憶する。
【００８３】
（記憶部の詳細）
ここで、記憶部５０が記憶する情報について、以下にさらに説明する。
【００８４】
記憶部５０は、領域分割情報記憶部５２と、領域指定情報記憶部５４とを含む。
【００８５】
領域分割情報記憶部５２は、表示データ取得部３１が取得する表示データに含まれる画素データの集合に対応する領域を示す領域分割情報を記憶する。
【００８６】
領域分割情報に基づいて分割される各領域の表示は、マルチディスプレイシステムを構成する各携帯電話機で分担する。したがって、各領域と当該領域の表示を担う各携帯電話機との対応関係が領域分割情報記憶部５２および領域指定情報記憶部５４に記憶されている。
【００８７】
また、各領域とその表示を担当する携帯電話機とは１対１で対応している。すなわち、当該領域の数は、本発明のマルチディスプレイシステムを構成する携帯電話機１０の数と同じになる。以後、領域分割情報に定義されている領域の数を分割数と称する。
【００８８】
具体的には、本実施の形態では、Ｐ１〜Ｐ６の６台の携帯電話機によってマルチディスプレイシステムが構成されているので、分割数は“６”である。しかしながら、分割数は“６”には限られず、マルチディスプレイシステムを構成する携帯電話機１０の数と、分割数とを合わせておけばよい。
【００８９】
この、携帯電話機１０の数については、マルチディスプレイシステムを構成する携帯電話機１０の数を予め決定しておき、記憶部５０に設定として記憶しておいてもよい。または、表示データ取得部３１が表示データを取得したとき等において、近距離無線通信部２６により、他の携帯電話機１０を探索し、当該探索の結果、検出された携帯電話機１０の数を用いてもよい。
【００９０】
また、表示データを特定の数の領域によって分割するパターンは、何通りものパターンが考えられるため、領域分割情報記憶部５２が記憶する領域分割情報は、１つに限られない。すなわち、領域分割情報記憶部５２は、表示データを分割するパターンごとに複数の領域分割情報を記憶するようにしてもよい。
【００９１】
また、領域分割情報は、マルチディスプレイシステムにおける画面イメージ１５において、携帯電話機１０の画面を配置する向きを示す情報である表示方向情報を含んでいる。例えば、図７において、携帯電話機Ｐ５およびＰ６は、携帯電話機Ｐ１〜Ｐ４に対して、配置する向きが異なる。すなわち、携帯電話機Ｐ１〜Ｐ６の画面を配置する向きは、表示方向情報において定義されている。
【００９２】
領域指定情報記憶部５４は、上記領域分割情報記憶部５２が記憶する領域分割情報において定義される領域のうち、ある一つの領域を指定する情報を示す領域指定情報を記憶する。すなわち、領域指定情報は、当該装置がどの領域を表示すべきかを指定する情報である。
【００９３】
なお、上記領域分割情報記憶部５２において、表示データを分割するパターンごとに複数の領域分割情報を記憶する場合には、領域指定情報も領域分割情報に応じて、パターンごとに設定するようにすればよい。また、このとき、いずれの領域分割情報および領域指定情報が有効になっているかを示す情報を記憶部５０において記憶してもよい。
【００９４】
（表示データの具体例）
次に、表示データの具体的な例を説明する。前述の例ように、表示データ取得部３１は、表示データを地上デジタル放送において配信されるデジタルデータから取得する。
【００９５】
ここで、地上デジタル放送のフォーマットについて説明する。地上デジタル放送の標準フォーマットとして使用されている規格として、ＡＴＳＣ（Advanced Television Systems Committee）デジタル・テレビ標準がある。そして、ＡＴＳＣデジタル・テレビ標準では、カテゴリや、垂直ライン数等が異なる１８種類のビデオ・フォーマットが策定されている。
【００９６】
これらのビデオ・フォーマットのうち、ＨＤＴＶ（High Definition Television）という映像フォーマットのカテゴリに属するビデオ・フォーマットとして、垂直ライン数が７２０ラインのものと、１０８０のものとが策定されている。垂直ライン数が７２０ラインのビデオ・フォーマットにおいては、水平×垂直の画素数は、１２８０×７２０である。また、垂直ライン数が１０８０のビデオ・フォーマットにおいては、水平×垂直の画素数は、１９２０×１０８０である。
【００９７】
よって、垂直ライン数が１０８０、ＨＤＴＶフォーマットの場合、上記表示データは、例えば、１９２０×１０８０個の画素データの集合からなる映像データである。
【００９８】
地上デジタル放送では、上記のような映像データ等を含む大容量のデジタルデータが伝送されている。また、このため、表示データ取得部３１が地上デジタル放送から取得した表示データのデータ量も、必然的に大容量となる。このため、表示データ取得部３１が取得した表示データを、無線通信ネットワークを介して、他の携帯情報端末と共有しようとすると、大容量のデータを無線通信することとなり、「発明が解決しようとする課題」において示したような理由から、表示データの共有を行うことができない可能性がある。
【００９９】
（領域分割情報および領域指定情報の詳細）
次に、図３〜５を用いて、領域分割情報記憶部５２が記憶する領域分割情報、および、領域指定情報記憶部５４が記憶する領域指定情報について、以下に詳細に説明する。
【０１００】
前述のとおり、領域分割情報および領域指定情報は、表示領域制御部３２は、表示データから特定の部分を抽出し画面データを生成する際に用いられる情報である。領域分割情報は、表示データの各部分に対応する領域を定義する。また、領域指定情報は、表示データの各部分に対応する領域のうちの１の領域を指定する情報である。
【０１０１】
すなわち、本実施の形態において、領域分割情報は、６台の携帯電話機に対応する６つの領域を定義する。また、領域指定情報は、上記の６つの領域のうちの１領域を指定する情報である。
【０１０２】
まず、図３を用いて、領域分割情報の一例について説明する。図３は、領域分割情報の例を説明した説明図である。同図に示すように、領域分割情報では、頂点Ｔ１〜１３が定義されている。そして、頂点Ｔ１、５、１１、１３によって定まる領域が表示データ全体に対応する。また、同図に示すように、領域分割情報に含まれる６つの領域Ｒ１〜Ｒ６は、頂点Ｔ１〜Ｔ１３によって定まる領域である。例えば、領域Ｒ１は、頂点Ｔ１、Ｔ２、Ｔ６、Ｔ７の４つの頂点から構成されている。
【０１０３】
ここで、図４を参照して、上記領域Ｒ１〜Ｒ６と、表示データとの対応について説明する。図４は、表示データの一例を示す図である。同図に示すように、表示データは、上記領域分割情報に定義される領域Ｒ１〜Ｒ６に対応付けられ、部分表示データＦ１〜Ｆ６に分割される。上記の対応付け、および、分割は、表示領域制御部３２によって行われる。表示領域制御部３２は、図３において示したような領域分割情報に基づいて、上記の対応付け、および、分割を行う。例えば、領域Ｒ１は、表示領域制御部３２によって、部分表示データＦ１に対応付けられる。
【０１０４】
頂点Ｔ１〜Ｔ６の各頂点は、より具体的には、Ｔ１１を原点とする、ｘ−ｙ座標系上の頂点データとして構成することができる。そして、例えば、前述のＨＤＴＶフォーマットの規格に準拠する、１９２０×１０８０の画素データの集合を、Ｔ１１を原点とする、ｘ−ｙ座標系に対応させることができる。ここで、ｘ軸は、直線Ｔ１１−Ｔ１３、ｙ軸は、直線Ｔ１１−Ｔ１である。
【０１０５】
この場合、頂点Ｔ１〜Ｔ１３のそれぞれの頂点に設定する値は、次のとおりである。すなわち、頂点Ｔ１１に、（ｘ，ｙ）＝（０，０）の値を設定する。また、頂点Ｔ１３、Ｔ１、Ｔ５は、それぞれ、（ｘ，ｙ）＝（１９１９，０）、（ｘ，ｙ）＝（０，１０７９）、（ｘ，ｙ）＝（１９１９，１０７９）の値を設定する。
【０１０６】
また、同様に、頂点Ｔ２，３，４は、それぞれ、（ｘ，ｙ）＝（４７９，１０７９）、（ｘ，ｙ）＝（９５９，１０７９）、（ｘ，ｙ）＝（１４３９，１０７９）の値を設定する。さらには、頂点Ｔ６、７、８、９、１０は、それぞれ、頂点Ｔ１、２、３、４、５においてｙ座標を、“４７９”としたものを設定する。
【０１０７】
しかしながら、上記に限られず、頂点Ｔ１〜Ｔ６の各頂点に、表示データの画像データのサイズに対する相対的な位置関係を示す値を設定してもよい。すなわち、頂点Ｔ３については、ｘ座標には、表示データの画像データのサイズに対して１／２の座標を示す値とし、ｙ座標には、当該サイズにおける最大の座標を示す値を設定することができる。
【０１０８】
次に、再び図３を参照しながら、領域分割情報に含まれる表示方向情報について説明する。領域Ｒ１〜Ｒ６は、画面の表示方向を示す表示方向情報をそれぞれ含んでいる。この表示方向情報は、具体的には、表示領域制御部３２が表示データから生成した画面データを表示部２４において表示させる際、どの向きに画面データを表示させるよう制御すればよいかを定める情報である。
【０１０９】
図３において、領域Ｒ１内に示されている矢印が表示方向情報をあらわしている。
【０１１０】
例えば、領域Ｒ１の矢印は、頂点Ｔ１から頂点６への向きに方向づけられている。領域Ｒ１の矢印が示す向きは、領域Ｒ１に対応する表示データの部分を表示部２４に表示するときに、表示領域制御部３２が、領域Ｒ１の矢印が示す向きを、図２において示した矢印７が示す向きにあわせて表示することを意味する。すなわち、表示方向情報が示す向きと、図２において示した矢印７が示す向きとをあわせて表示するために、表示領域制御部３２は、領域Ｒ１に対応する表示データの部分を回転する画像処理を行う。
【０１１１】
次に、領域指定情報について説明する。領域指定情報記憶部５４が記憶する領域指定情報は、具体的には、上記の領域Ｒ１〜Ｒ６のいずれか１つの領域を指定する情報である。
【０１１２】
また、上記領域指定情報によって指定される表示データの領域は、携帯電話機Ｐ１〜Ｐ６間で、互いに異なる。このため、携帯電話機Ｐ１〜Ｐ６は、それぞれ、表示データの異なる部分に対応付けられる。このため、携帯電話機Ｐ１〜Ｐ６全体で、表示データの全体に対応づけることができる。
【０１１３】
領域指定情報としては、例えば、領域Ｒ１〜Ｒ６のそれぞれに固有の識別ＩＤを割り当てておき、当該識別ＩＤを示す情報等を用いることができる。すなわち、携帯電話機Ｐ１〜Ｐ６の領域指定情報記憶部５４には、それぞれ、領域Ｒ１〜Ｒ６を指定する領域指定情報が記憶されている。
【０１１４】
次に、領域分割情報、当該領域分割情報に含まれる表示方向情報、領域指定情報に基づいて、表示領域制御部３２が、表示部２４の画面で表示するのに適した画面データを、当該部分表示データＦ１から生成する方法について説明する。
【０１１５】
表示領域制御部３２は、例えば、部分表示データＦ１に対して、拡大・縮小・回転等の画像処理を行って、部分表示データＦ１から、画面データを生成する。
【０１１６】
部分表示データＦ１の画像サイズが、表示部２４の画面サイズと異なる場合は、表示領域制御部３２は、部分表示データＦ１を拡大・縮小して、表示部２４の画面で表示するのに適したサイズにする画像処理を行う。この拡大・縮小に関する画像処理は、部分表示データＦ１の縦横比を変更するものであってもよい。また、表示方向情報に基づいて、部分表示データＦ１を回転する画像処理を行う。なお、これらの画像処理は、組み合わせて行ってもよく、また、これらの画像処理以外の画像処理を行ってもよい。
【０１１７】
（画面データの表示例）
次に、図６（ａ）〜（ｃ）を用いて、携帯電話機Ｐ１およびＰ５の表示部２４において画面データを表示する例について説明する。図６（ａ）は、携帯電話機Ｐ１が、図３において示した領域分割情報と、当該領域分割情報に定義される領域Ｒ１を指定する領域指定情報を記憶している場合における画面データの表示の例である。また、図６（ｂ）は、携帯電話機Ｐ５が、図３において示した領域分割情報と、当該領域分割情報に定義される領域Ｒ５を指定する領域指定情報を記憶している場合における画面データの表示の例である。
【０１１８】
まず、図６（ａ）に示すように、携帯電話機Ｐ１は、図４において示した、表示データの部分表示データＦ１に対応する画面データＤ１を表示している。すなわち、携帯電話機Ｐ１において、表示データ取得部３１によって、当該表示データが取得され、表示領域制御部３２が、領域分割情報と、領域指定情報とに基づいて、表示データの部分表示データＦ１に対応する画面データＤ１を表示部２４に表示させる。
【０１１９】
表示領域制御部３２は、前述のように表示データの部分表示データＦ１を、携帯電話機Ｐ１の表示部２４での表示に適するよう適宜拡大・縮小し、画面データＤ１を生成する。
【０１２０】
次に、図６（ｂ）に示すように、携帯電話機Ｐ５は、図４において示した、表示データの部分表示データＦ５に対応する画面データＤ５を表示している。すなわち、携帯電話機Ｐ５において、表示データ取得部３１によって、表示データが取得され、表示領域制御部３２が、領域分割情報と、領域指定情報とに基づいて、表示データの部分表示データＦ５に対応する画面データＤ５を表示部２４に表示させる。
【０１２１】
表示領域制御部３２は、表示データの部分表示データＦ５を、携帯電話機Ｐ５の表示部２４での表示に適するよう適宜拡大・縮小および回転し、当該画面データＤ５を生成する。
【０１２２】
（６台の携帯電話機による表示データの表示例）
次に、図７を用いて、携帯電話機Ｐ１〜Ｐ６を用いた表示データの表示例について説明する。同図が示すように、携帯電話機Ｐ１〜Ｐ６は、それぞれの表示部２４において、元の表示データの部分表示データＦ１〜Ｆ６に対応する画面データＤ１〜Ｄ６を表示している。
【０１２３】
同図に示すように、６台の携帯電話機Ｐ１〜Ｐ６は、それぞれ、領域分割情報および領域指定情報に基づいた配置となっている。すなわち、携帯電話機Ｐ１〜Ｐ６は、図３において示した、領域分割情報を記憶している。また、携帯電話機Ｐ１〜Ｐ６は、それぞれ、当該領域分割情報に定義される領域Ｒ１〜Ｒ６を指定する領域指定情報を記憶している。ここで、領域Ｒ１〜Ｒ６は、表示データのＦ１〜Ｆ６に対応しているため、携帯電話機Ｐ１〜Ｐ６は、それぞれ、表示データのＦ１〜Ｆ６から、画面データＤ１〜Ｄ６を生成して、表示部２４に表示させる。
【０１２４】
このように、６台の携帯電話機Ｐ１〜Ｐ６の各々が、所定の配置において、画面データＤ１〜Ｄ６を表示することで、携帯電話機Ｐ１〜Ｐ６は、全体として、元の表示データに対応する画面表示イメージ１５を構成することができる。
【０１２５】
（領域分割情報および領域指定情報の設定の記憶）
次に、図５（ａ）〜（ｃ）および図８を参照しながら、領域分割情報および領域指定情報を、携帯電話機１０において設定し、記憶する処理について説明する。
【０１２６】
まず、図５（ａ）〜（ｃ）を用いて、領域分割情報および領域指定情報の設定パターンについて説明する。図５（ａ）は、図３において示した領域分割情報において領域Ｒ１が指定されている場合の例を示す図である。また、図５（ｂ）および（ｃ）は、別のパターンの領域分割情報における領域指定の例を示す図である。
【０１２７】
図５（ａ）〜（ｃ）を用いて、分割数が６である領域分割情報について具体的に説明する。例えば、図３において示した領域分割情報であれば、分割数は６である。
【０１２８】
ここで、前述のように表示データを６分割するパターンは、複数のパターンが考えられる。例えば、分割数が６である領域分割情報として、図５（ａ）〜（ｃ）に示すようなパターンが考えられる。すなわち、図５（ａ）に示すように、既に説明したパターンや、図５（ｂ）に示すように、ちょうど２×３の領域に分割するパターンや、図５（ｃ）に示すように縦方向に６分割するパターンである。このように複数あるパターンの中から、使用するパターンをユーザに選択させてもよい。
【０１２９】
次に、図８を用いて、領域分割情報および領域指定情報の設定処理について説明する。ここでは、領域分割情報記憶部５２には、図５（ａ）〜（ｃ）に示すような、パターンを記憶しているものとする。
【０１３０】
図８は、携帯電話機１０において領域分割情報および領域指定情報を設定し、記憶する処理について説明したフローチャートである。以降、領域分割情報および領域指定情報を区別する必要がないときは、まとめて画面構成情報と称する。
【０１３１】
まず、携帯電話機１０は、領域分割情報および領域指定情報を設定する操作を入力部２２において受け付ける（Ｓ１００）。具体的には、領域設定部３４が、画面構成情報を設定するための設定画面を表示部２４に表示し、入力部２２からの操作データを待つ。
【０１３２】
続いて、領域設定部３４は、入力部２２において受け付けた画面の分割数の入力に対応する操作データを受信する（Ｓ１０１）。ここで、Ｓ１０１において分割数６の入力を受け付けると、領域設定部３４は、領域分割情報記憶部５２から分割数が６である領域分割情報を読み出し、当該読み出した領域分割情報を表示部２４に表示させる。
【０１３３】
領域設定部３４は、図５（ａ）〜（ｃ）に示すようなパターンの領域分割情報を、領域分割情報記憶部５２から読み出し、表示部２４に表示させて、ユーザが、領域分割情報を選択するのを受け付ける（Ｓ１０２）。ここでは、領域設定部３４が、図５（ａ）に示すパターンの選択を受け付けたものとする。
【０１３４】
そして、領域設定部３４は、選択された、領域分割情報について、さらに領域指定情報の入力を受け付ける（Ｓ１０３）。図５（ａ）において、斜線となっている領域Ａ１は、当該領域がユーザによって選択された場合に、表示部２４に表示させる画面例を表している。このように、ユーザによって選択された領域について、領域設定部３４は、強調表示し、さらに当該領域が選択されたことを示すことあらわすように表示を行ってもよい。また、図５（ｂ）、（ｃ）において、選択された場合について例示すると、図５（ｂ）、（ｃ）に示すように、斜線となっている領域Ｂ１およびＣ１が、強調表示されており、当該領域がユーザによって選択されていることを示している。このように選択されている領域が、領域指定情報の候補となる。
【０１３５】
以上において、設定された画面構成情報を、領域設定部３４は、領域分割情報記憶部５２および領域指定情報記憶部５４に記憶する（Ｓ１０４）。その後、処理は終了する。
【０１３６】
（処理の流れ）
次に、図９を用いて、携帯電話機Ｐ１〜Ｐ６による表示データの表示の表示処理について説明する。図９は、携帯電話機Ｐ１〜Ｐ６において、表示データを表示部２４に表示する処理の動作を表すフローチャートである。
【０１３７】
まず、携帯電話機Ｐ１〜Ｐ６において、入力部２２が表示処理の開始を示す操作データを受け付けると、表示データ取得部３１が、チューナ部２０が受信した受信した放送信号から、表示データを取得する（Ｓ２００）。次に、表示領域制御部３２が、領域分割情報記憶部５２から領域分割情報を読み出し、読み出した領域分割情報に基づいて、表示データの分割を行う（Ｓ２０１）。
【０１３８】
次に、表示領域制御部３２は、領域指定情報記憶部５４から、領域指定情報を読み出し、読み出した領域指定情報に対応する部分表示データを特定する（Ｓ２０２）。さらに、表示領域制御部３２は、領域分割情報に含まれる表示方向情報を参照して、当該表示方向情報に基づいて、部分表示データに対して画像処理を行い、画面データを生成する（Ｓ２０３）。
【０１３９】
ここで、携帯電話機Ｐ１〜Ｐ６のフレーム同期部３３間で、お互いにフレームレート情報を送受信し、そして携帯電話機Ｐ１〜Ｐ６は、送受信したフレームレート情報の比較を行う（Ｓ２０４）。
【０１４０】
そして、フレーム同期部３３が、上記フレームレート情報の比較を行い、フレーム同期を実施するか否かを判定する（Ｓ２０５）。フレーム同期部３３が、フレーム同期を実施する必要がないと判定した場合（Ｓ２０５においてＮＯ）、表示領域制御部３２は、生成した画面データを表示部２４に表示させる（Ｓ２０７）。
【０１４１】
一方、フレーム同期部３３が、フレーム同期を実施する必要があると判定した場合（Ｓ２０５においてＹＥＳ）、フレーム同期部３３は、他の携帯電話機１０との間で、お互いに表示部２４の画面の同期信号を送受信し、他の携帯電話機１０との間で画面表示の同期をとる（Ｓ２０６）。画面表示の同期は、例えば、以下のようにして行うことができる。すなわち、画面表示の同期は、携帯電話機Ｐ１〜Ｐ６の画面の性能を示す情報を判定した結果、最も性能が低いと判定された画面の性能を示す情報に、表示タイミングを合わせてもよい。この場合、最も許容できるフレームレートが低い表示部２４を有する携帯電話機１０にフレームレートをあわせればよい。ここで、画面の同期信号は、自機において、表示しようとしている画面データのフレーム識別番号などである。
【０１４２】
以上のように、フレーム同期部３３が、携帯電話機Ｐ１〜Ｐ６間で画面表示の同期を行うとともに、表示領域制御部３２が、表示部２４に画面データを表示させる（Ｓ２０７）。その後、処理は終了する。
【０１４３】
以上の処理を実行することで、携帯電話機Ｐ１〜Ｐ６が、それぞれ、地上デジタル放送から受信した同一の表示データについて、互いに異なる部分表示データＦ１〜Ｆ６に対応する画面データＤ１〜Ｄ６を生成し、表示を行う。このため、携帯電話機Ｐ１〜Ｐ６は、画面構成情報に基づく配置により、元の表示データを表示する画面表示イメージ１５を構成することができる。
【０１４４】
したがって、６台の携帯電話機１０は、大容量の表示内容を、他の携帯電話機１０に送信することなく、各携帯電話機１０の表示領域より大きい画面を構成でき、各携帯電話機１０によってマルチディスプレイによる表示することができるという効果を奏する。
【０１４５】
なお、携帯電話機Ｐ１〜Ｐ６の表示部２４の性能が、予め全て同じであるとわかっている場合、例えば、携帯電話機Ｐ１〜Ｐ６が、全て同型の機種であれば、表示部２４の画面の性能は同じであるので、Ｓ２０４からＳ２０５の処理は省略することができる。
【０１４６】
なお、携帯電話機１０の台数は６台に限られない。すなわち、表示データを分割する領域の分割数は６に限られない。
【０１４７】
（変形例）
以下において、携帯電話機１０の好ましい変形例について説明する。
【０１４８】
領域設定部３４は、入力部２２から操作データを受信し、受信した操作データに基づいて、領域分割情報を編集し、当該領域分割情報を上記領域分割情報記憶部５２に記憶してもよい。これにより、ユーザは、入力部２２を通じて、領域設定部３４に指示することで、新たな領域分割情報を作成することができる。
【０１４９】
また、制御部３０は、さらに、領域分割情報を他の携帯電話機１０と共有するための領域情報配布部３５を備えていてもよい。
【０１５０】
領域情報配布部３５は、上記領域分割情報記憶部５２に記憶されている領域分割情報を読み出し、近距離無線通信部２６を介して、当該領域分割情報を他の携帯電話機１０に送信し、上記領域設定部３４において編集された新たな領域分割情報を他の携帯電話機１０と共有することができる。また、領域情報配布部３５は、逆に他の携帯電話機１０から送信される領域分割情報を受信し、受信した領域分割情報を上記領域分割情報記憶部５２に記憶して、他の携帯電話機１０と共有することができる。
【０１５１】
これにより、新たな領域分割情報が領域設定部３４において作成されても、他の携帯電話機１０と領域分割情報を共有することができる。
【０１５２】
また、領域情報配布部３５は、近距離無線通信部２６を介して、領域指定情報を他の携帯電話機１０と共有してもよい。そして、領域情報配布部３５は、他の携帯電話機１０において、自機が指定している領域が指定されていないかを判定してもよい。
【０１５３】
また、領域情報配布部３５は、上記の判定の結果、他の携帯電話機１０において、自機と同じ領域が指定されていることが判明した場合、その旨を表示部２４などに提示し、ユーザに領域指定情報の変更等を促してもよい。
【０１５４】
また、表示方向情報は、表示領域制御部３２は、部分表示データを回転する画像処理を行わなくてもよいことが予め判明している場合は、省略してもよい。例えば、図６（ｃ）のような画面構成情報を用いる場合には、省略できる。
【０１５５】
〔実施の形態２〕
本発明のさらに別の実施の形態について図１０〜図１２に基づいて説明すると以下の通りである。
【０１５６】
実施の形態１では、地上デジタル放送によって伝送されるデジタルデータから表示データを取得する携帯電話機１０によって、マルチディスプレイシステムを構成する例について説明した。これに対して、本実施の形態においては、同一の表示データをすでに記憶している複数の携帯電話機１０によって、マルチディスプレイシステムを構成する例について説明する。なお、本実施の形態においても、６台の携帯電話機Ｐ１〜Ｐ６によってマルチディスプレイシステムを構成する例について説明するが、携帯電話機１０の数は６台に限られない。
【０１５７】
ここで、本実施の形態では、各携帯電話機１０は、同一の表示データを記憶しているものの、各携帯電話機１０が、個々に表示を行うと、表示する画面データの整合性がとれなくなってしまうおそれがある。このため、本実施の形態では、各携帯電話機１０間で、表示タイミングの同期を行う。このように構成された携帯電話機１０について以下に説明する。
【０１５８】
図１０は、本実施の形態に係る携帯電話機１０の要部構成を示したブロック図である。
【０１５９】
本実施の形態においては、各携帯電話機１０は、表示データを自機に記憶しており、当該表示データから、画面データを作成する。よって、図１０において、図１の構成と異なるのは、各携帯電話機１０間で、表示を行う表示データの表示タイミングの同期を取るための構成が追加されている点である。また、表示を行う表示データの同期を取るために必須でない構成は取り除かれている。
【０１６０】
すなわち、図１０は、図１と比べると、同図に示すように、携帯電話機１０において、タイマー部２８が追加されている。また、チューナ部２０は、構成から取り除かれている。
【０１６１】
そして、図１０に示すように、制御部３０において、表示データ取得部３１に替えて、表示データ読出部（表示データ分割手段）４１が、表示領域制御部３２に替えて、画面表示制御部（表示領域制御手段）４２が、構成に追加されている。また、再生開始要求処理部（再生開始要求送信手段、再生開始要求受信手段）４３と、再生同期部（表示同期手段）４４とが新たに構成に追加されている。また、記憶部５０において、表示データ記憶部５６が構成に追加されている。
【０１６２】
その他の構成は同様である。なお、上記実施の形態で説明した構成と同様の機能を有する構成には同一の符号を付して、その説明を省略する。
【０１６３】
図１０において、図１と比べて異なる構成について説明すると以下のとおりである。
【０１６４】
タイマー部２８は、現在時刻を計測したり、ある時点からの経過時間を計測したりして、当該計測に基づいた時間情報を生成するためのものである。タイマー部２８が生成する時間情報は、例えば、後述の再生同期部４４が、画面表示のタイミングを指示するために用いられる。タイマー部２８が、現在時刻を計測したり、ある時点からの経過時間を計測したりする手法としては、公知の技術を採用することができる。
【０１６５】
表示データ記憶部５６は、表示部２４に表示可能な種々のデータを記憶するものである。表示データ記憶部５６が記憶するデータの例としては、動画データや静止画データなどが挙げられる。
【０１６６】
また、表示データ読出部４１は、表示データ記憶部５６に記憶されている表示データを読み出して、画面表示制御部４２に送信するものである。
【０１６７】
画面表示制御部４２は、再生開始要求処理部４３、再生同期部４４、フレーム同期部３３の間で、各種の通知を行い、表示部２４における画面表示を行うものである。
【０１６８】
再生開始要求処理部４３は、画面表示制御部４２から処理命令を受信し、近距離無線通信部２６を介して、他の携帯電話機１０に対し、表示データの再生を開始する再生開始要求を送信するものである。また、他の携帯電話機１０から、再生開始要求を受信すると、自機において表示データの再生を開始するために、再生開始要求を受信した旨を画面表示制御部４２に通知するものである。
【０１６９】
ここで、図１１を用いて、再生開始要求について説明する。図１１は、再生開始要求のデータ構成の一例を示す図である。同図に示すとおり、再生開始要求は、再生情報と、開始時刻情報との項目を含む。
【０１７０】
再生情報は、他の携帯電話機１０に対し、表示データ読出部４１から読み出すべき表示データを指定する情報である。再生情報としては、具体的には、表示データを特定する識別情報を採用することができる。例えば、表示データのファイル名等が挙げられる。
【０１７１】
開始時刻情報は、表示データの再生を開始する時刻を示す情報である。開始時刻情報は、具体的には、再生を開始すべき時刻を示す値である。
【０１７２】
再生同期部４４は、表示データを表示部２４に表示させるタイミングを管理するものである。
【０１７３】
具体的には、まず、再生同期部４４は、再生開始要求を他の携帯電話機１０から受信した、または、再生開始要求を他の携帯電話機１０に送信した旨の通知および当該再生開始要求に含まれる開始時刻情報を画面表示制御部４２から受信する。
【０１７４】
そして、再生同期部４４は、タイマー部２８において計測される時間情報の監視を開始する。再生同期部４４は、タイマー部２８の生成する時間情報を監視しつつ、画面表示制御部４２から受信した再生開始要求において指定されている開始時刻情報に基づいて、表示部２４に表示させるタイミングを検知する。再生同期部４４は、開始時刻情報において指定される時刻が来たことを検知したとき、その旨を画面表示制御部４２に通知する。
【０１７５】
（処理の流れ）
次に、図１２を用いて、携帯電話機Ｐ１〜Ｐ６による表示データの表示の表示処理について説明する。図１２は、携帯電話機Ｐ１〜Ｐ６において、表示データを表示部２４に表示する処理における動作を表すフローチャートである。また、ここでは、携帯電話機Ｐ１が、マスタとなり、他の携帯電話機Ｐ２〜Ｐ６の表示のタイミングを決定する例について説明する。すなわち、携帯電話機Ｐ２〜Ｐ６は、スレーブとなり、マスタである携帯電話機Ｐ１に従って表示を行う。
【０１７６】
まず、携帯電話機Ｐ１について説明すると、次のとおりである。
【０１７７】
携帯電話機Ｐ１において、入力部２２が表示処理の開始を示す操作データを受け付けると、表示データ読出部４１が、表示データ記憶部５６に記憶されている表示データを読み出す（Ｓ３０１）。そして、Ｓ３０２〜Ｓ３０４の処理を順に実行する。Ｓ３０２〜Ｓ３０４の処理については、図９を用いて説明した、Ｓ２０１〜Ｓ２０３の処理と同様であるので、その説明を省略する。
【０１７８】
Ｓ３０２〜Ｓ３０４の処理に続いて、携帯電話機Ｐ１の表示領域制御部３２は、再生開始要求処理部４３に再生開始要求の送信を指示する。携帯電話機Ｐ１の再生開始要求処理部４３は、再生要求を指示されると、近距離無線通信部２６を介して、携帯電話機Ｐ２〜Ｐ６に対して、再生開始要求を送信するとともに、自機の画面表示制御部４２を経由して、自機の再生同期部４４に対し、当該再生開始要求に含まれる開始時刻情報を通知する（Ｓ３０５）。
【０１７９】
次に、携帯電話機Ｐ１において、再生同期部４４が、画面表示制御部４２を経由して、再生開始要求処理部４３から、開始時刻情報を受信すると、タイマー部２８において生成される時間情報の監視を開始し、開始時刻情報に指定される時刻まで待機する。そして、再生同期部４４は、開始時刻情報に指定される時刻が来たことを検知すると、画面表示制御部４２にその旨を通知する（Ｓ３０６）。
【０１８０】
携帯電話機Ｐ１において、画面表示制御部４２は、再生同期部４４から、当該通知を受けると表示データ読出部４１が読み出した表示データを、表示部２４に表示させる（Ｓ３０７）。
【０１８１】
一方、携帯電話機Ｐ２〜Ｐ６について説明すると、次のとおりである。
【０１８２】
携帯電話機Ｐ２〜Ｐ６において、再生開始要求処理部４３は、近距離無線通信部２６を介して、携帯電話機Ｐ１から再生開始要求を受信する。携帯電話機Ｐ２〜Ｐ６の再生開始要求処理部４３は、再生開始要求を受信すると、画面表示制御部４２にその旨を通知する。携帯電話機Ｐ２〜Ｐ６において、画面表示制御部４２が、再生開始要求処理部４３から、携帯電話機Ｐ１の再生開始要求の通知を受けると、表示データ読出部４１に対して、再生開始要求に含まれる再生情報を転送する。携帯電話機Ｐ２〜Ｐ６において、表示データ読出部４１は、再生情報を受信すると、表示データ記憶部５６から、表示データを読み出す（Ｓ３１１）。
【０１８３】
そして、Ｓ３１２〜Ｓ３１４の処理を実行する。Ｓ３１２〜Ｓ３１４の処理は、それぞれＳ３０２〜Ｓ３０４の処理に対応しているので、その説明を省略する。
【０１８４】
Ｓ３０２〜Ｓ３０４の処理に続いて、携帯電話機Ｐ２〜Ｐ６において、画面表示制御部４２は、再生開始要求に含まれる開始時刻情報を、再生同期部４４に送信するとともに、画面再生のタイミングの同期を指示する。ここで、再生同期部４４は、画面表示制御部４２から、開始時刻情報を受信すると、タイマー部２８において生成される時間情報の監視を開始し、開始時刻情報に指定される時刻まで待機する。そして、再生同期部４４は、開始時刻情報に指定される時刻が来たことを検知すると、画面表示制御部４２にその旨を通知する（Ｓ３１５）。
【０１８５】
携帯電話機Ｐ２〜Ｐ６において、画面表示制御部４２は、再生同期部４４から、当該通知を受けると表示データ読出部４１が読み出した表示データから画像データを生成するとともに、当該画像データを表示部２４に表示させる（Ｓ３１６）。
【０１８６】
以上の処理により、携帯電話機Ｐ１〜Ｐ６において、画像データが表示され、その後、処理は終了する。
【０１８７】
以上の処理を実行することで、携帯電話機Ｐ１〜Ｐ６が、それぞれ、同一の表示データについて、互いに異なる部分表示データＦ１〜Ｆ６に対応する画面データＤ１〜Ｄ６を生成し、表示を行う。このため、携帯電話機Ｐ１〜Ｐ６は、画面構成情報に基づいて配置されれば、元の表示データを表示する画面表示イメージ１５を構成することができる。
【０１８８】
すなわち、以上の処理を通して、携帯電話機Ｐ１〜Ｐ６で送受信されるデータは、表示タイミングの同期をとるための再生開始要求のみである。
【０１８９】
したがって、携帯電話機Ｐ１〜Ｐ６は、大容量の表示データを、他の携帯電話機に送信することなく、再生開始要求を送受信するだけで、各携帯電話機の表示領域より大きい画面表示を行うことができる。
【０１９０】
ゆえに、同一の表示データを記憶した携帯電話機Ｐ１を用いて、無線通信ネットワークの帯域が逼迫することなく、マルチディスプレイシステムを実現することができる。
【０１９１】
なお、Ｓ３０６と、Ｓ３０７との間において、図９を用いて説明したＳ２０４〜Ｓ２０６処理を実行してもかまわない。このことにより、さらに、他の携帯電話機１０間でフレーム同期を行うことができる。この場合においても、大容量の表示データの送受信を行わなくても済む。
【０１９２】
なお、本発明は上述した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【０１９３】
最後に、携帯電話機１０の各ブロック、特に、表示データ取得部３１、表示領域制御部３２、フレーム同期部３３、領域設定部３４および領域情報配布部３５、ならびに、表示データ読出部４１、画面表示制御部４２、再生開始要求処理部４３および再生同期部４４は、ハードウェアロジックによって構成してもよいし、次のようにＣＰＵを用いてソフトウェアによって実現してもよい。
【０１９４】
すなわち、携帯電話機１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯電話機１０の制御プログラムのプログラムコード（実行形式プログラム、中間コードプログラム、ソースプログラム）をコンピュータで読み取り可能に記録した記録媒体を、上記携帯電話機１０に供給し、そのコンピュータ（またはＣＰＵやＭＰＵ）が記録媒体に記録されているプログラムコードを読み出し実行することによっても、達成可能である。
【０１９５】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１９６】
また、携帯電話機１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１９７】
本発明によると、各移動端末装置が、それぞれ、同一の表示データについて、画面構成情報に基づいて、互いに異なる部分表示データに対応する画面データを生成し、表示を行う。その結果、各移動端末装置が、画面構成情報に基づいて配置をされれば、各移動端末装置の画面より大きな画面を構成することができる。
【０１９８】
このため、表示を行う構成を有する移動端末装置、例えば、携帯ゲーム機など、広く好適に使用できる。
【図面の簡単な説明】
【０１９９】
【図１】本発明の実施の形態を示すものであり、携帯電話機の要部構成の一例を示すブロック図である。
【図２】本発明の実施の形態に係る携帯電話機の外観形状を示す図である。
【図３】領域分割情報の一例を説明した説明図である。
【図４】表示データの一例を示す図である。
【図５】本発明の実施の形態を示すものであり、（ａ）〜（ｃ）は、それぞれ領域分割情報および領域指定情報の設定パターンを示す図である。
【図６】本発明の実施の形態を示すものであり、（ａ）および（ｂ）は、携帯電話機における画面データの表示の例を示す図である。
【図７】本発明の実施の形態を示すものであり、各携帯電話機によってマルチディスプレイシステムを構成した場合の説明図である。
【図８】携帯電話機において領域分割情報および領域指定情報を設定する処理について説明したフローチャートである。
【図９】各携帯電話機において、表示データを表示部に表示する処理の動作を表すフローチャートである。
【図１０】本実施の形態に係る携帯電話機の要部構成を示したブロック図である。
【図１１】再生開始要求のデータ構成の一例を示す図である。
【図１２】各携帯電話機において、表示データを表示部に表示する処理の動作を表すフローチャートである。
【符号の説明】
【０２００】
１０，Ｐ１〜Ｐ６    携帯電話機
２０    チューナ部
２２    入力部
２４    表示部
２６    近距離無線通信部
２８    タイマー部
３０    制御部
３１    表示データ取得部（表示データ取得手段）
３２    表示領域制御部（表示データ分割手段、表示領域制御手段）
３３    フレーム同期部
３４    領域設定部
３５    領域情報配布部
４１    表示データ読出部（表示データ分割手段）
４２    画面表示制御部（表示領域制御手段）
４３    再生開始要求処理部（再生開始要求送信手段、再生開始要求受信手段）
４４    再生同期部（表示同期手段）
５０    記憶部
５２    領域分割情報記憶部
５４    領域指定情報記憶部
５６    表示データ記憶部
【図１】
2009294689.tif 000003
【図２】
2009294689.tif 000004
【図３】
2009294689.tif 000005
【図４】
2009294689.tif 000006
【図５】
2009294689.tif 000007
【図６】
2009294689.tif 000008
【図７】
2009294689.tif 000009
【図８】
2009294689.tif 000010
【図９】
2009294689.tif 000011
【図１０】
2009294689.tif 000012
【図１１】
2009294689.tif 000013
【図１２】
2009294689.tif 000014